(57)【要約】【課題】ヒメイワダレソウを地表面に効率よく植生できる植生方法を提供する。【解決手段】麻繊維を絡めてフェルト状にした植生マット１を地表面Ａ上に敷設してから覆土する。土壌中からの水分の蒸発を抑制できる。覆土した土が植生マット１の麻繊維の間に入り込むことで地表面Ａに植え付けたヒメイワダレソウＢの匍匐茎が植生マット１から根を下ろしやすくなる。植生マット１が光の照射を抑制するので地表面Ａと植生マット１との間での植物の光合成を阻害できる。植生マット１の植付孔２に植え付けたヒメイワダレソウＢの地表面Ａ上での根付きを良くできる。ヒメイワダレソウＢの地表面Ａ上の被覆速度を速めることができる。【選択図】図１
2008148639.tif 000002
【特許請求の範囲】
【請求項１】
地表面に接触性除草剤を散布する散布工程と、
この散布工程にて接触性除草剤が散布された前記地表面上に、所定の間隔で複数の植付孔が形成された麻製の植生マットを敷設する敷設工程と、
この敷設工程にて前記地表面上に敷設された前記植生マットの植付孔から前記地表面に所定の植物を植え付ける植付工程と、
この植付工程にて前記所定の植物が植付けられた前記植生マット上に土をかけて覆土する覆土工程と
を具備したことを特徴とした植生方法。
【請求項２】
地表面に種子発芽抑制剤を散布する散布工程と、
この散布工程にて種子発芽抑制剤が散布された前記地表面上に、所定の間隔で複数の植付孔が形成された麻製の植生マットを敷設する敷設工程と、
この敷設工程にて前記地表面上に敷設された前記植生マットの植付孔から前記地表面に所定の植物を植え付ける植付工程と、
この植付工程にて前記所定の植物が植付けられた前記植生マット上に土をかけて覆土する覆土工程と
を具備したことを特徴とした植生方法。
【請求項３】
植生マットは、麻繊維を絡めた不織布シートである
ことを特徴とした請求項１または２記載の植生方法。
【請求項４】
所定の植物は、クマツヅラ科の多年生植物である
ことを特徴とした請求項１ないし３いずれか記載の植生方法。
【発明の詳細な説明】
【技術分野】
【０００１】
本発明は、地表面に植物を植生する植生方法に関する。
【背景技術】
【０００２】
従来、この種の植生方法としては、木綿、麻あるいはやしなどで格子状に形成したネットを地表面に敷設させてからを覆土して、このネットの網目に植物を植生する方法や、麻繊維と保水性の繊維を含む原料をフェルト化させて平板状に形成した緑化用基材に植物を根付かせて植生する方法などが知られている（例えば、特許文献１および２参照。）。
【特許文献１】特開平１０−２６６２１５号公報
【特許文献２】特開２００６−１６６７９６号公報
【発明の開示】
【発明が解決しようとする課題】
【０００３】
しかしながら、上記植生方法では、格子状のネットの網目に植物を植生したり、フェルト化させて平板状に形成した緑化用基材に植物を根付かせて植生したりする方法に過ぎない。したがって、植生させたい所定の植物以外の植物も根付いて生長してしまうおそれがあるから、植生させたい所定の植物を効率よく植生することが容易ではないという問題を有している。
【０００４】
本発明は、上記問題点に鑑みなされたもので、所定の植物を地表面に効率よく植生できる植生方法を提供することを目的とする。
【課題を解決するための手段】
【０００５】
請求項１記載の植生方法は、地表面に接触性除草剤を散布する散布工程と、この散布工程にて接触性除草剤が散布された前記地表面上に、所定の間隔で複数の植付孔が形成された麻製の植生マットを敷設する敷設工程と、この敷設工程にて前記地表面上に敷設された前記植生マットの植付孔から前記地表面に所定の植物を植え付ける植付工程と、この植付工程にて前記所定の植物が植付けられた前記植生マット上に土をかけて覆土する覆土工程とを具備したものである。
【０００６】
請求項２記載の植生方法は、地表面に種子発芽抑制剤を散布する散布工程と、この散布工程にて種子発芽抑制剤が散布された前記地表面上に、所定の間隔で複数の植付孔が形成された麻製の植生マットを敷設する敷設工程と、この敷設工程にて前記地表面上に敷設された前記植生マットの植付孔から前記地表面に所定の植物を植え付ける植付工程と、この植付工程にて前記所定の植物が植付けられた前記植生マット上に土をかけて覆土する覆土工程とを具備したものである。
【０００７】
請求項３記載の植生方法は、請求項１または２記載の植生方法において、植生マットは、麻繊維を絡めた不織布シートである。
【０００８】
請求項４記載の植生方法は、請求項１ないし３いずれか記載の植生方法において、所定の植物は、クマツヅラ科の多年生植物である。
【発明の効果】
【０００９】
請求項１記載の植生方法によれば、地表面に予め生えている草を接触性除草剤で枯らした状態で、この地表面への光の照射が植生マットにて抑制されるとともに、この植生マットによって地表面での保水性を確保できるから、この植生マットに植え付けた所定の植物を地表面に効率よく植生できる。
【００１０】
請求項２記載の植生方法によれば、地表面に飛散してくる種子の発芽が種子発芽抑制剤にて抑制されるとともに、この地表面への光の照射が植生マットにて抑制され、この植生マットによって地表面での保水性を確保できるから、この植生マットに植え付けた所定の植物を地表面に効率よく植生できる。
【００１１】
請求項３記載の植生方法によれば、植生マットとして麻繊維を絡めた不織布シートを用いることにより、地表面への光の照射をほど良く抑制できるとともに、この植生マットの植付孔に植え付けた植物の根付きを良くできる。
【００１２】
請求項４記載の植生方法によれば、クマツヅラ科の多年生植物は、寒さに強く、匍匐茎を生長させて広がっていく性質があるから、所定の植物としてクマツヅラ科の多年生植物を用いることにより、地表面上に所定の植物を効率よく植生できる。
【発明を実施するための最良の形態】
【００１３】
以下、本発明の植生方法の実施の一形態を図１ないし図１０を参照して説明する。
【００１４】
図１ないし図１０に示す本発明の植生方法は、緑化を所望する平地などの平面や、鉄道軌条基板外の傾斜地である法面などの植生面としての地表面Ａに、所定の植物を植生させる方法である。この植生方法に用いる所定の植物は、クマツズラ科の多年生植物であるイワダレソウ属のヒメイワダレソウ(学名：Lippia canescens)Ｂである。
【００１５】
そして、このヒメイワダレソウＢは、このヒメイワダレソウＢの地表面Ａを覆う匍匐茎の全ての節から無数に発根し、このヒメイワダレソウＢの主根が地中６０ｃｍ程度まで分岐しながら発達して土壌の流亡を防止できるという性質を有していることから、地表面Ａの保護効果を極めて高める性質を有している。ここで、この植生方法に用いる所定の植物としては、ヒメイワダレソウＢ以外のクマツズラ科の多年生植物や、その他のグラウンドカバーと呼ばれる地被植物として用いられる植物などであっても良い。
【００１６】
また、この植生方法では、所望する地表面ＡにヒメイワダレソウＢを植え付ける前に、接触性除草剤Ｆとともに種子発芽抑制剤Ｇを散布する。ここで、この接触性除草剤Ｆは、茎葉処理除草剤である。具体的に、この接触性除草剤Ｆとしては、例えばグリホサートイソプロピルアミン塩液剤(商品名：フリーパス(登録商標)，ニューファム株式会社製)が用いられる。そして、このフリーパス(登録商標)は、イソプロピルアンモニウム＝Ｎ−(ホスホノメチル)グリシナートを有効成分として４１．０％含有しているとともに、その他の成分として水、界面活性剤などを５９．０％含有している。
【００１７】
また、このフリーパス(登録商標)は、いわゆる雑草Ｅと呼ばれる１年生雑草(メヒシバ、エノコログサ、ヒメムカシヨモギ、スズメノカタビラ、一年生カヤツリなど)、多年生雑草(セイタカアワダチソウ、チガヤ、イタドリなど)、スギナ、ススキまたはササ類などの茎葉から、これら雑草Ｅの組織内に浸透していくことにより、これら雑草Ｅを枯らす除草効果を発揮するとともに、長期間の再生抑制効果を期待できるものである。さらに、このフリーパス(登録商標)は、原液を１００倍あるいは２００倍に水で希釈した希釈液を所望する地表面に散布して用いられる。
【００１８】
一方、種子発芽抑制剤Ｇは、飛散あるいは飛来してくる雑草Ｅの種子に対して種子発芽抑制効果を有する土壌処理型除草剤である。具体的に、この種子発芽抑制剤Ｇとしては、例えばプロジアミン水和剤(商品名：クサブロック(登録商標)，シンジェンタジャパン株式会社製)が用いられる。そして、このクサブロック(登録商標)は、５−ジプロピルアミノ−α,α,αトリフルオロ−４や６−ジニトロ−Ｏ−トルイジンを有効成分として６３．０％含有している。
【００１９】
また、このクサブロック(登録商標)は、メヒシバ、スズメノカタビラ等の一年生雑草に対する発生抑制効果、すなわち種子発芽抑制効果が高く、比較的少ない薬量(投下薬量０．１６ｇ／ｍ２以上０．３２ｇ／ｍ２以下)で長期間の抑草効果を発揮する。さらに、このクサブロック(登録商標)は、散布した地表面Ａの土壌中に安定した処理層を形成し、１５０日以上の抑草効果を発揮し、人畜に対する毒性が低く、水生生物への安全性が高く、水溶解度(０．０７２ｐｐｍ(２５℃))が低く、土壌吸着性が高く、蒸気圧(２．９×１０−５Ｐａ(２５℃))が低いため、流亡や揮散の可能性が低いものである。
【００２０】
さらに、この植生方法では、接触性除草剤Ｆおよび種子発芽抑制剤Ｇが散布された地表面Ａ上に、植栽マットとしての植付マットであるシート状の植生マット１を積層して敷設させる。この植生マット１は、図２に示すように、アサ科の一年草であるアサ属の麻(学名：Cannabis sativa)の繊維をフェルト状にした不織布シートである。具体的に、この植生マット１は、麻の繊維を図示しないニードルパンチなどで絡めて所定の厚さ、例えば３ｍｍ以上１０ｍｍ以下、より好ましくは５ｍｍの厚さのフェルト状に圧縮され、例えば単位面積当たりの質量(目付)が４００ｇ／ｍ２となるように形成された不織布フェルトである。
【００２１】
また、この植生マット１は、所定の幅寸法、例えば１００ｃｍの幅寸法を有するとともに、所定の長さ寸法、例えば１０００ｃｍの長さ寸法を有する平面視細長矩形状に形成されている。さらに、この植生マット１には、幅方向に沿って所定の間隔、例えば４０ｃｍの間隔を空けた状態で、植物の苗を植え付けるための切り抜き孔である植栽穴である植付孔２が、例えば２つずつ設けられている。また、これら植付孔２は、植生マット１の長手方向に沿って所定の間隔、例えば４０ｃｍの間隔を開けた状態で、３個／ｍ２以上５個／ｍ２以下、好ましくは４個／ｍ２の割合となるように複数設けられている。
【００２２】
さらに、これら植付孔２は、例えば１０ｃｍの直径寸法に形成されており、これら各植付孔２の周縁には、等間隔に例えば、２ｃｍ程度の切り込み３が複数、例えば４つほど９０度の間隔で形成されている。すなわち、これら植付孔２は、例えば９ｃｍの直径寸法を有する、いわゆる９ｃｍのポット苗Ｃを植え付けできる大きさに形成されている。
【００２３】
そして、植生マット１は、地表面Ａに積層させた状態で、アンカーピン４にて地表面Ａ上に固定される。このアンカーピン４としては、時間の経過によって微生物にて生分解される材質、例えば竹材や木材で形成されたピン状の竹串あるいは木串などが用いられる。
【００２４】
次に、上記実施の一形態の植生方法の各工程を図１を参照しながら説明する。
【００２５】
まず、調査工程として、図３に示すように、ヒメイワダレソウＢを植生させて緑化させたい場所の地表面Ａの現在の植生状況を事前に確認してから、このヒメイワダレソウＢの植付け場所となる地表面Ａを調査する(ステップ１)。
【００２６】
このとき、この調査した地表面Ａの土壌が、雑草Ｅが何ら生えていないような強酸性土壌や、極度に乾燥している過乾燥土壌の場合には、このような土壌にヒメイワダレソウＢを植え付けても生育が良くないので、このヒメイワダレソウＢを植え付ける植付け場所を調査して選定する。
【００２７】
次いで、散布工程として、図４に示すように、ステップ１の調査工程で選定した植付け場所の地表面Ａ上に接触性除草剤Ｆとしてフリーパス(登録商標)を散布して地表面Ａに生えている雑草Ｅを枯らすとともに、この地表面Ａ上に種子発芽抑制剤Ｇとしてクサブロック(登録商標)を散布して、この地表面Ａ上に飛散あるいは飛来してくる植物の種子の発芽を抑制させる(ステップ２)。
【００２８】
このとき、接触性除草剤Ｆの散布により地表面Ａ上に生えている雑草Ｅを完全に枯死させて取り払うとともに、種子発芽抑制剤Ｇの散布により地表面Ａ上へ飛散または飛来してくる種子の発芽を抑えておく。
【００２９】
この後、整地工程として、図５に示すように、必要に応じて地表面Ａ上の立ち枯れした雑草Ｅなどを図示しない刈払機などを用いて刈り取り除去するなどして地表面Ａを整地したり、地表面Ａの凹凸な部分を覆土して平坦となるように整地したりする(ステップ３)。
【００３０】
次いで、敷設工程として、図６に示すように、散布工程にて接触性除草剤Ｆおよび種子発芽抑制剤Ｇが散布され整地工程にて整地された地表面Ａ上に、植生マット１を積層させて敷設する(ステップ４)。
【００３１】
このとき、この植生マット１を地表面Ａ上に重ならないように並べながら敷設していき、この地表面Ａの全面が植生マット１にて覆われるようにする。さらに、この地表面Ａ上に敷設された植生マット１の各角部などの所定の位置にアンカーピン４を差し込んで、この植生マット１を地表面Ａ上に固定させる。
【００３２】
この後、植付工程として、ヒメイワダレソウＢの直径９ｃｍのポット苗ＣをポットＤから取り出し、これらポット苗Ｃを、図７に示すように、地表面Ａ上に敷設された植生マット１の各植付孔２内のそれぞれに入れて、これらポット苗Ｃのそれぞれを各植付孔２から地表面Ａに植え付ける(ステップ５)。
【００３３】
次いで、覆土工程として、図８に示すように、植付工程にてヒメイワダレソウＢのポット苗Ｃが各植付孔２に植え付けられた植生マット１上の全面に、例えば５ｍｍ以上１５ｍｍ以下、好ましくは１０ｍｍの厚さとなるように客土Ｈをかけて覆土する(ステップ６)。
【００３４】
さらに、散水工程として、図９に示すように、覆土工程にて覆土された植生マット１上の全面に水Ｉを撒いて散水して(ステップ７)、地表面ＡへのヒメイワダレソウＢの植生を完了させる(ステップ８)。
【００３５】
この結果、図１０に示すように、約３ヶ月程度の経過で地表面Ａ上のほぼ全体がヒメイワダレソウＢにて覆われた状態となる。
【００３６】
上述したように、上記実施の一形態によれば、地表面Ａに植生マット１を敷設する前に、この地表面Ａに接触性除草剤Ｆを散布することにより、この地表面Ａに予め生えている草を接触性除草剤Ｆで枯らした状態で、この地表面Ａへの光の照射が植生マット１にて抑制されるとともに、この植生マット１によって地表面Ａでの保水性を確保できるから、この植生マット１に植え付けたヒメイワダレソウＢを地表面Ａに効率よく植生できる。
【００３７】
また、この接触性除草剤Ｆとともに種子発芽抑制剤Ｇを散布することにより、地表面Ａに飛散または飛来してくる種子の発芽が種子発芽抑制剤Ｇにて抑制できるから、植生マット１に植え付けたヒメイワダレソウＢを地表面Ａにより効率よく植生できる。
【００３８】
さらに、地表面Ａに敷設した植生マット１の各植付孔２に植え付ける植物として、クマツヅラ科の多年生植物であるヒメイワダレソウＢを用いることにより、このヒメイワダレソウＢは、寒さに強く、匍匐茎を生長させて広がっていく性質があり、比較的草丈が低い植物であるので、この地表面Ａ上に比較的草丈の低いヒメイワダレソウＢを効率よく植生できるとともに、この地表面Ａの見栄えを良くできる。
【００３９】
そして、夏期による気温上昇および陽射しが強くなることにより、土壌中の水分が蒸発して乾燥しやすくなる。そこで、麻繊維を絡めてフェルト状に圧縮させた不織布シートを植生マット１として用い、この植生マット１を地表面Ａ上に敷設してから、この植生マット１上に覆土することにより、土壌中からの水分の蒸発を植生マット１で抑制でき、土壌中の保水性を高くできる。
【００４０】
また、麻繊維の植生マット１に覆土した土が、この植生マット１の麻繊維の間に入り込むことにより、地表面Ａに植え付けたヒメイワダレソウＢの匍匐茎が、この植生マット１から地中に根を下ろしやすくできる。
【００４１】
さらに、植生マット１として麻繊維を絡めてフェルト状に圧縮させた不織布シートを用いたことにより、この植生マット１が太陽光などの光の照射をほど良く抑制できる不透過性を有することから、この植生マット１によって地表面Ａと植生マット１との間での植物の光合成を阻害できる。このため、この地表面Ａと植生マット１との間での他の雑草Ｅの種子を発芽しにくくできる。この結果、この植生マット１が有する光合成阻害作用によって、この植生マット１の植付孔２に植え付けたヒメイワダレソウＢの地表面Ａ上での根付きを良くできるから、このヒメイワダレソウＢの地表面Ａ上の被覆速度、すなわち生育速度を、実験の結果約２ヶ月程度に速めることができる。
【００４２】
したがって、この地表面ＡをヒメイワダレソウＢにて短時間、例えば３ヶ月程度で緑化できるとともに、この地表面Ａを単一のヒメイワダレソウＢが群生している美しい景観にできる。さらに、このヒメイワダレソウＢを地表面Ａに群生させることにより、この地表面Ａを遮光しながら栄養分や水分を搾取するので、この地表面Ａでの他の雑草Ｅの生長や発芽を抑制できる。
【００４３】
また、植生マット１として麻繊維を絡めてフェルト状に圧縮させた不織布シートを用い、アンカーピン４として竹串や木串を用いたことにより、これら植生マット１およびアンカーピン４が、例えば２年程度経過後に微生物にて完全に生分解される。したがって、これら植生マット１およびアンカーピン４を用いた植生方法は、環境保全にも優れている。
【００４４】
さらに、これら植生マット１およびアンカーピン４が生分解された２年目以降は、ヒメイワダレソウＢが地表面Ａ上のほぼ全体を被覆することとなり、このヒメイワダレソウＢが地表面Ａのほぼ全体を覆うことによって、この地表面Ａで仮に他の雑草Ｅの種子が発芽したとしても、この他の雑草Ｅに陽射しが当たりにくいので、これら他の雑草Ｅの生長を阻害できる。したがって、ヒメイワダレソウＢにてほぼ全面が覆われた状態での地表面Ａの雑草管理としては、例えばスギナ、タンポポ、ヒメスイバ、ヒメジョオンなどの広葉雑草を選択的に除草できる選択性茎葉処理除草剤などの使用や、比較的容易な手抜きによる雑草処理で済むようにできるので、この地表面Ａでの草刈作業を軽減できる。なお、この選択性茎葉処理除草剤としては、例えばメコプロップＰカリウム塩液剤(商品名：一本締(登録商標)液剤，株式会社ニッソーグリーン製)などが用いられる。
【００４５】
なお、上記実施の一形態では、植付孔２を予め設けた植生マット１について説明したが、この植生マット１に予め植付孔２を設けずに、この植生マット１を地表面Ａ上に敷設してから、この植生マット１の所定位置に孔を空けて植付孔２を形成することもできる。
【００４６】
さらに、この植生マット１に設ける植付孔２の間隔については、どのような間隔であっても良い。また、これら植付孔２は、例えば９ｃｍのポット苗Ｃを植け付けできる大きさであれば、どのような大きさでもよく、切り込み３を設けなくてもよい。
【図面の簡単な説明】
【００４７】
【図１】本発明の植生方法の実施の一形態を示すフローチャートである。
【図２】同上植生方法に用いる植生マットを示す説明図である。
【図３】同上植生方法の調査工程を示す説明図である。
【図４】同上植生方法の散布工程を示す説明図である。
【図５】同上植生方法の整地工程を示す説明図である。
【図６】同上植生方法の敷設工程を示す説明図である。
【図７】同上植生方法の植付工程を示す説明図である。
【図８】同上植生方法の覆土工程を示す説明図である。
【図９】同上植生方法の散水工程を示す説明図である。
【図１０】同上植生方法にて植物を植え付けた地表面を示す説明図である。
【符号の説明】
【００４８】
１    植生マット
２    植付孔
Ａ    地表面
Ｂ    植物としてのヒメイワダレソウ
【図１】
2008148639.tif 000003
【図２】
2008148639.tif 000004
【図３】
2008148639.tif 000005
【図４】
2008148639.tif 000006
【図５】
2008148639.tif 000007
【図６】
2008148639.tif 000008
【図７】
2008148639.tif 000009
【図８】
2008148639.tif 000010
【図９】
2008148639.tif 000011
【図１０】
2008148639.tif 000012
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
地表面に接触性除草剤および種子発芽抑制剤を散布する散布工程と、
この散布工程にて接触性除草剤および種子発芽抑制剤が散布された前記地表面上に、所定の間隔で複数の植付孔が形成され麻繊維を絡めて所定の厚さに形成されたフェルト状の不織布シートである植生マットを敷設する敷設工程と、
この敷設工程にて前記地表面上に敷設された前記植生マットの植付孔から前記地表面に所定の植物の苗を植え付ける植付工程と、
この植付工程にて前記所定の植物の苗が植付けられた前記植生マット上に土をかけて覆土する覆土工程と
を具備したことを特徴とした植生方法。
【請求項２】
所定の植物は、クマツヅラ科の多年生植物である
ことを特徴とした請求項１記載の植生方法。
【手続補正２】
【補正対象書類名】明細書
【補正対象項目名】全文
【補正方法】変更
【補正の内容】
【発明の詳細な説明】
【技術分野】
【０００１】
本発明は、地表面に植物を植生する植生方法に関する。
【背景技術】
【０００２】
従来、この種の植生方法としては、木綿、麻あるいはやしなどで格子状に形成したネットを地表面に敷設させてからを覆土して、このネットの網目に植物を植生する方法や、麻繊維と保水性の繊維を含む原料をフェルト化させて平板状に形成した緑化用基材に植物を根付かせて植生する方法などが知られている（例えば、特許文献１および２参照。）。
【特許文献１】特開平１０−２６６２１５号公報
【特許文献２】特開２００６−１６６７９６号公報
【発明の開示】
【発明が解決しようとする課題】
【０００３】
しかしながら、上記植生方法では、格子状のネットの網目に植物を植生したり、フェルト化させて平板状に形成した緑化用基材に植物を根付かせて植生したりする方法に過ぎない。したがって、植生させたい所定の植物以外の植物も根付いて生長してしまうおそれがあるから、植生させたい所定の植物を効率よく植生することが容易ではないという問題を有している。
【０００４】
本発明は、上記問題点に鑑みなされたもので、所定の植物を地表面に効率よく植生できる植生方法を提供することを目的とする。
【課題を解決するための手段】
【０００５】
請求項１記載の植生方法は、地表面に接触性除草剤および種子発芽抑制剤を散布する散布工程と、この散布工程にて接触性除草剤および種子発芽抑制剤が散布された前記地表面上に、所定の間隔で複数の植付孔が形成され麻繊維を絡めて所定の厚さに形成されたフェルト状の不織布シートである植生マットを敷設する敷設工程と、この敷設工程にて前記地表面上に敷設された前記植生マットの植付孔から前記地表面に所定の植物の苗を植え付ける植付工程と、この植付工程にて前記所定の植物の苗が植付けられた前記植生マット上に土をかけて覆土する覆土工程とを具備したものである。
【０００６】
請求項２記載の植生方法は、請求項１記載の植生方法において、所定の植物は、クマツヅラ科の多年生植物である。
【発明の効果】
【０００７】
請求項１記載の植生方法によれば、地表面に予め生えている草を接触性除草剤で枯らした状態で、この地表面への光の照射が植生マットにて抑制されるとともに、この植生マットによって地表面での保水性を確保できるから、この植生マットに植え付けた所定の植物を地表面に効率よく植生できる。
【０００８】
また、地表面に飛散してくる種子の発芽が種子発芽抑制剤にて抑制されるとともに、この地表面への光の照射が植生マットにて抑制され、この植生マットによって地表面での保水性を確保できるから、この植生マットに植え付けた所定の植物を地表面に効率よく植生できる。
【０００９】
さらに、植生マットとして麻繊維を絡めた不織布シートを用いることにより、地表面への光の照射をほど良く抑制できるとともに、この植生マットの植付孔に植え付けた植物の根付きを良くできる。
【００１０】
請求項２記載の植生方法によれば、クマツヅラ科の多年生植物は、寒さに強く、匍匐茎を生長させて広がっていく性質があるから、所定の植物としてクマツヅラ科の多年生植物を用いることにより、地表面上に所定の植物を効率よく植生できる。
【発明を実施するための最良の形態】
【００１１】
以下、本発明の植生方法の実施の一形態を図１ないし図１０を参照して説明する。
【００１２】
図１ないし図１０に示す本発明の植生方法は、緑化を所望する平地などの平面や、鉄道軌条基板外の傾斜地である法面などの植生面としての地表面Ａに、所定の植物を植生させる方法である。この植生方法に用いる所定の植物は、クマツズラ科の多年生植物であるイワダレソウ属のヒメイワダレソウ(学名：Lippia canescens)Ｂである。
【００１３】
そして、このヒメイワダレソウＢは、このヒメイワダレソウＢの地表面Ａを覆う匍匐茎の全ての節から無数に発根し、このヒメイワダレソウＢの主根が地中６０ｃｍ程度まで分岐しながら発達して土壌の流亡を防止できるという性質を有していることから、地表面Ａの保護効果を極めて高める性質を有している。ここで、この植生方法に用いる所定の植物としては、ヒメイワダレソウＢ以外のクマツズラ科の多年生植物や、その他のグラウンドカバーと呼ばれる地被植物として用いられる植物などであっても良い。
【００１４】
また、この植生方法では、所望する地表面ＡにヒメイワダレソウＢを植え付ける前に、接触性除草剤Ｆとともに種子発芽抑制剤Ｇを散布する。ここで、この接触性除草剤Ｆは、茎葉処理除草剤である。具体的に、この接触性除草剤Ｆとしては、例えばグリホサートイソプロピルアミン塩液剤(商品名：フリーパス(登録商標)，ニューファム株式会社製)が用いられる。そして、このフリーパス(登録商標)は、イソプロピルアンモニウム＝Ｎ−(ホスホノメチル)グリシナートを有効成分として４１．０％含有しているとともに、その他の成分として水、界面活性剤などを５９．０％含有している。
【００１５】
また、このフリーパス(登録商標)は、いわゆる雑草Ｅと呼ばれる１年生雑草(メヒシバ、エノコログサ、ヒメムカシヨモギ、スズメノカタビラ、一年生カヤツリなど)、多年生雑草(セイタカアワダチソウ、チガヤ、イタドリなど)、スギナ、ススキまたはササ類などの茎葉から、これら雑草Ｅの組織内に浸透していくことにより、これら雑草Ｅを枯らす除草効果を発揮するとともに、長期間の再生抑制効果を期待できるものである。さらに、このフリーパス(登録商標)は、原液を１００倍あるいは２００倍に水で希釈した希釈液を所望する地表面に散布して用いられる。
【００１６】
一方、種子発芽抑制剤Ｇは、飛散あるいは飛来してくる雑草Ｅの種子に対して種子発芽抑制効果を有する土壌処理型除草剤である。具体的に、この種子発芽抑制剤Ｇとしては、例えばプロジアミン水和剤(商品名：クサブロック(登録商標)，シンジェンタジャパン株式会社製)が用いられる。そして、このクサブロック(登録商標)は、５−ジプロピルアミノ−α,α,αトリフルオロ−４や６−ジニトロ−Ｏ−トルイジンを有効成分として６３．０％含有している。
【００１７】
また、このクサブロック(登録商標)は、メヒシバ、スズメノカタビラ等の一年生雑草に対する発生抑制効果、すなわち種子発芽抑制効果が高く、比較的少ない薬量(投下薬量０．１６ｇ／ｍ２以上０．３２ｇ／ｍ２以下)で長期間の抑草効果を発揮する。さらに、このクサブロック(登録商標)は、散布した地表面Ａの土壌中に安定した処理層を形成し、１５０日以上の抑草効果を発揮し、人畜に対する毒性が低く、水生生物への安全性が高く、水溶解度(０．０７２ｐｐｍ(２５℃))が低く、土壌吸着性が高く、蒸気圧(２．９×１０−５Ｐａ(２５℃))が低いため、流亡や揮散の可能性が低いものである。
【００１８】
さらに、この植生方法では、接触性除草剤Ｆおよび種子発芽抑制剤Ｇが散布された地表面Ａ上に、植栽マットとしての植付マットであるシート状の植生マット１を積層して敷設させる。この植生マット１は、図２に示すように、アサ科の一年草であるアサ属の麻(学名：Cannabis sativa)の繊維をフェルト状にした不織布シートである。具体的に、この植生マット１は、麻の繊維を図示しないニードルパンチなどで絡めて所定の厚さ、例えば３ｍｍ以上１０ｍｍ以下、より好ましくは５ｍｍの厚さのフェルト状に圧縮され、例えば単位面積当たりの質量(目付)が４００ｇ／ｍ２となるように形成された不織布フェルトである。
【００１９】
また、この植生マット１は、所定の幅寸法、例えば１００ｃｍの幅寸法を有するとともに、所定の長さ寸法、例えば１０００ｃｍの長さ寸法を有する平面視細長矩形状に形成されている。さらに、この植生マット１には、幅方向に沿って所定の間隔、例えば４０ｃｍの間隔を空けた状態で、植物の苗を植え付けるための切り抜き孔である植栽穴である植付孔２が、例えば２つずつ設けられている。また、これら植付孔２は、植生マット１の長手方向に沿って所定の間隔、例えば４０ｃｍの間隔を開けた状態で、３個／ｍ２以上５個／ｍ２以下、好ましくは４個／ｍ２の割合となるように複数設けられている。
【００２０】
さらに、これら植付孔２は、例えば１０ｃｍの直径寸法に形成されており、これら各植付孔２の周縁には、等間隔に例えば、２ｃｍ程度の切り込み３が複数、例えば４つほど９０度の間隔で形成されている。すなわち、これら植付孔２は、例えば９ｃｍの直径寸法を有する、いわゆる９ｃｍのポット苗Ｃを植え付けできる大きさに形成されている。
【００２１】
そして、植生マット１は、地表面Ａに積層させた状態で、アンカーピン４にて地表面Ａ上に固定される。このアンカーピン４としては、時間の経過によって微生物にて生分解される材質、例えば竹材や木材で形成されたピン状の竹串あるいは木串などが用いられる。
【００２２】
次に、上記実施の一形態の植生方法の各工程を図１を参照しながら説明する。
【００２３】
まず、調査工程として、図３に示すように、ヒメイワダレソウＢを植生させて緑化させたい場所の地表面Ａの現在の植生状況を事前に確認してから、このヒメイワダレソウＢの植付け場所となる地表面Ａを調査する(ステップ１)。
【００２４】
このとき、この調査した地表面Ａの土壌が、雑草Ｅが何ら生えていないような強酸性土壌や、極度に乾燥している過乾燥土壌の場合には、このような土壌にヒメイワダレソウＢを植え付けても生育が良くないので、このヒメイワダレソウＢを植え付ける植付け場所を調査して選定する。
【００２５】
次いで、散布工程として、図４に示すように、ステップ１の調査工程で選定した植付け場所の地表面Ａ上に接触性除草剤Ｆとしてフリーパス(登録商標)を散布して地表面Ａに生えている雑草Ｅを枯らすとともに、この地表面Ａ上に種子発芽抑制剤Ｇとしてクサブロック(登録商標)を散布して、この地表面Ａ上に飛散あるいは飛来してくる植物の種子の発芽を抑制させる(ステップ２)。
【００２６】
このとき、接触性除草剤Ｆの散布により地表面Ａ上に生えている雑草Ｅを完全に枯死させて取り払うとともに、種子発芽抑制剤Ｇの散布により地表面Ａ上へ飛散または飛来してくる種子の発芽を抑えておく。
【００２７】
この後、整地工程として、図５に示すように、必要に応じて地表面Ａ上の立ち枯れした雑草Ｅなどを図示しない刈払機などを用いて刈り取り除去するなどして地表面Ａを整地したり、地表面Ａの凹凸な部分を覆土して平坦となるように整地したりする(ステップ３)。
【００２８】
次いで、敷設工程として、図６に示すように、散布工程にて接触性除草剤Ｆおよび種子発芽抑制剤Ｇが散布され整地工程にて整地された地表面Ａ上に、植生マット１を積層させて敷設する(ステップ４)。
【００２９】
このとき、この植生マット１を地表面Ａ上に重ならないように並べながら敷設していき、この地表面Ａの全面が植生マット１にて覆われるようにする。さらに、この地表面Ａ上に敷設された植生マット１の各角部などの所定の位置にアンカーピン４を差し込んで、この植生マット１を地表面Ａ上に固定させる。
【００３０】
この後、植付工程として、ヒメイワダレソウＢの直径９ｃｍのポット苗ＣをポットＤから取り出し、これらポット苗Ｃを、図７に示すように、地表面Ａ上に敷設された植生マット１の各植付孔２内のそれぞれに入れて、これらポット苗Ｃのそれぞれを各植付孔２から地表面Ａに植え付ける(ステップ５)。
【００３１】
次いで、覆土工程として、図８に示すように、植付工程にてヒメイワダレソウＢのポット苗Ｃが各植付孔２に植え付けられた植生マット１上の全面に、例えば５ｍｍ以上１５ｍｍ以下、好ましくは１０ｍｍの厚さとなるように客土Ｈをかけて覆土する(ステップ６)。
【００３２】
さらに、散水工程として、図９に示すように、覆土工程にて覆土された植生マット１上の全面に水Ｉを撒いて散水して(ステップ７)、地表面ＡへのヒメイワダレソウＢの植生を完了させる(ステップ８)。
【００３３】
この結果、図１０に示すように、約３ヶ月程度の経過で地表面Ａ上のほぼ全体がヒメイワダレソウＢにて覆われた状態となる。
【００３４】
上述したように、上記実施の一形態によれば、地表面Ａに植生マット１を敷設する前に、この地表面Ａに接触性除草剤Ｆを散布することにより、この地表面Ａに予め生えている草を接触性除草剤Ｆで枯らした状態で、この地表面Ａへの光の照射が植生マット１にて抑制されるとともに、この植生マット１によって地表面Ａでの保水性を確保できるから、この植生マット１に植え付けたヒメイワダレソウＢを地表面Ａに効率よく植生できる。
【００３５】
また、この接触性除草剤Ｆとともに種子発芽抑制剤Ｇを散布することにより、地表面Ａに飛散または飛来してくる種子の発芽が種子発芽抑制剤Ｇにて抑制できるから、植生マット１に植え付けたヒメイワダレソウＢを地表面Ａにより効率よく植生できる。
【００３６】
さらに、地表面Ａに敷設した植生マット１の各植付孔２に植え付ける植物として、クマツヅラ科の多年生植物であるヒメイワダレソウＢを用いることにより、このヒメイワダレソウＢは、寒さに強く、匍匐茎を生長させて広がっていく性質があり、比較的草丈が低い植物であるので、この地表面Ａ上に比較的草丈の低いヒメイワダレソウＢを効率よく植生できるとともに、この地表面Ａの見栄えを良くできる。
【００３７】
そして、夏期による気温上昇および陽射しが強くなることにより、土壌中の水分が蒸発して乾燥しやすくなる。そこで、麻繊維を絡めてフェルト状に圧縮させた不織布シートを植生マット１として用い、この植生マット１を地表面Ａ上に敷設してから、この植生マット１上に覆土することにより、土壌中からの水分の蒸発を植生マット１で抑制でき、土壌中の保水性を高くできる。
【００３８】
また、麻繊維の植生マット１に覆土した土が、この植生マット１の麻繊維の間に入り込むことにより、地表面Ａに植え付けたヒメイワダレソウＢの匍匐茎が、この植生マット１から地中に根を下ろしやすくできる。
【００３９】
さらに、植生マット１として麻繊維を絡めてフェルト状に圧縮させた不織布シートを用いたことにより、この植生マット１が太陽光などの光の照射をほど良く抑制できる不透過性を有することから、この植生マット１によって地表面Ａと植生マット１との間での植物の光合成を阻害できる。このため、この地表面Ａと植生マット１との間での他の雑草Ｅの種子を発芽しにくくできる。この結果、この植生マット１が有する光合成阻害作用によって、この植生マット１の植付孔２に植え付けたヒメイワダレソウＢの地表面Ａ上での根付きを良くできるから、このヒメイワダレソウＢの地表面Ａ上の被覆速度、すなわち生育速度を、実験の結果約２ヶ月程度に速めることができる。
【００４０】
したがって、この地表面ＡをヒメイワダレソウＢにて短時間、例えば３ヶ月程度で緑化できるとともに、この地表面Ａを単一のヒメイワダレソウＢが群生している美しい景観にできる。さらに、このヒメイワダレソウＢを地表面Ａに群生させることにより、この地表面Ａを遮光しながら栄養分や水分を搾取するので、この地表面Ａでの他の雑草Ｅの生長や発芽を抑制できる。
【００４１】
また、植生マット１として麻繊維を絡めてフェルト状に圧縮させた不織布シートを用い、アンカーピン４として竹串や木串を用いたことにより、これら植生マット１およびアンカーピン４が、例えば２年程度経過後に微生物にて完全に生分解される。したがって、これら植生マット１およびアンカーピン４を用いた植生方法は、環境保全にも優れている。
【００４２】
さらに、これら植生マット１およびアンカーピン４が生分解された２年目以降は、ヒメイワダレソウＢが地表面Ａ上のほぼ全体を被覆することとなり、このヒメイワダレソウＢが地表面Ａのほぼ全体を覆うことによって、この地表面Ａで仮に他の雑草Ｅの種子が発芽したとしても、この他の雑草Ｅに陽射しが当たりにくいので、これら他の雑草Ｅの生長を阻害できる。したがって、ヒメイワダレソウＢにてほぼ全面が覆われた状態での地表面Ａの雑草管理としては、例えばスギナ、タンポポ、ヒメスイバ、ヒメジョオンなどの広葉雑草を選択的に除草できる選択性茎葉処理除草剤などの使用や、比較的容易な手抜きによる雑草処理で済むようにできるので、この地表面Ａでの草刈作業を軽減できる。なお、この選択性茎葉処理除草剤としては、例えばメコプロップＰカリウム塩液剤(商品名：一本締(登録商標)液剤，株式会社ニッソーグリーン製)などが用いられる。
【００４３】
なお、上記実施の一形態では、植付孔２を予め設けた植生マット１について説明したが、この植生マット１に予め植付孔２を設けずに、この植生マット１を地表面Ａ上に敷設してから、この植生マット１の所定位置に孔を空けて植付孔２を形成することもできる。
【００４４】
さらに、この植生マット１に設ける植付孔２の間隔については、どのような間隔であっても良い。また、これら植付孔２は、例えば９ｃｍのポット苗Ｃを植け付けできる大きさであれば、どのような大きさでもよく、切り込み３を設けなくてもよい。
【図面の簡単な説明】
【００４５】
【図１】本発明の植生方法の実施の一形態を示すフローチャートである。
【図２】同上植生方法に用いる植生マットを示す説明図である。
【図３】同上植生方法の調査工程を示す説明図である。
【図４】同上植生方法の散布工程を示す説明図である。
【図５】同上植生方法の整地工程を示す説明図である。
【図６】同上植生方法の敷設工程を示す説明図である。
【図７】同上植生方法の植付工程を示す説明図である。
【図８】同上植生方法の覆土工程を示す説明図である。
【図９】同上植生方法の散水工程を示す説明図である。
【図１０】同上植生方法にて植物を植え付けた地表面を示す説明図である。
【符号の説明】
【００４６】
１    植生マット
２    植付孔
Ａ    地表面
Ｂ    植物としてのヒメイワダレソウ
Ｃ 苗としてのポット苗